(57)【要約】【課題】アンモニアを十分に除去することができるアンモニア除去剤、アンモニア除去方法及びアンモニア除去システムを提供する。【解決手段】アンモニア除去方法では、水に難溶な層状リン酸塩が水に分散された状態の水分散体を主成分とするアンモニア除去剤を使用して、アンモニアを除去する。アンモニア除去システム６は、アンモニアが流れる配管５に面するように配置され、水を貯める貯水槽７と、貯水槽７に接続された管路９と、管路９の途中に配設され、アンモニア水に含まれるアンモニアを除去するアンモニア除去器１０とを備え、アンモニア除去器１０は、水に難溶な層状リン酸塩を主成分とし、アンモニアを吸蔵する吸蔵材１２を有する。【選択図】図１
2020131088.tif 000002
【特許請求の範囲】
【請求項１】
水に難溶な層状リン酸塩が水に分散された状態の水分散体を主成分とするアンモニア除去剤。
【請求項２】
前記層状リン酸塩がペレット状を呈している請求項１記載のアンモニア除去剤。
【請求項３】
水に難溶な層状リン酸塩が水に分散された状態の水分散体を主成分とするアンモニア除去剤を使用して、アンモニアを除去するアンモニア除去方法。
【請求項４】
アンモニア水に前記層状リン酸塩を加えることにより前記水分散体を生成し、前記アンモニア水から前記アンモニアを除去する請求項３記載のアンモニア除去方法。
【請求項５】
配管内から漏出したアンモニアを除去するアンモニア除去システムであって、
前記配管に面するように配置され、水を貯める貯水槽と、
前記貯水槽に接続された管路と、
前記管路の途中に配設され、アンモニア水に含まれるアンモニアを除去するアンモニア除去器とを備え、
前記アンモニア除去器は、水に難溶な層状リン酸塩を主成分とし、前記アンモニアを吸蔵する吸蔵材を有するアンモニア除去システム。
【請求項６】
前記層状リン酸塩がペレット状を呈している請求項５記載のアンモニア除去システム。
【請求項７】
前記貯水槽には、前記管路の両端が接続されており、
前記管路における前記アンモニア除去器よりも下流側には、前記管路を流れる水を循環させるポンプが配設されている請求項５または６記載のアンモニア除去システム。
【発明の詳細な説明】
【技術分野】
【０００１】
本発明は、アンモニア除去剤、アンモニア除去方法及びアンモニア除去システムに関する。
【背景技術】
【０００２】
アンモニアを除去する技術としては、例えば特許文献１に記載されているように、フィブリル化した繊維に対してリン酸ジルコニウムを担持し、これを湿式抄紙により平板状化したアンモニアガス吸着用フィルタが知られている。
【先行技術文献】
【特許文献】
【０００３】
【特許文献１】特開２００４−１８１３８９号公報
【発明の概要】
【発明が解決しようとする課題】
【０００４】
上記従来技術においては、リン酸ジルコニウムにアンモニアガスが吸着される。しかし、例えばアンモニア消費設備に使用されるアンモニア除去剤としては、アンモニアを十分に除去することが難しい。
【０００５】
本発明の目的は、アンモニアを十分に除去することができるアンモニア除去剤、アンモニア除去方法及びアンモニア除去システムを提供することである。
【課題を解決するための手段】
【０００６】
本発明者等は、アンモニアの除去について鋭意検討を重ねた結果、水に難溶な層状リン酸塩が水に分散された状態の水分散体を使用すると、水のみを使用した場合、あるいは水に分散されていない層状リン酸塩を使用した場合に比べて、アンモニアが除去されやすくなることを見出し、本発明を完成させるに至った。
【０００７】
即ち、本発明の一態様に係るアンモニア除去剤は、水に難溶な層状リン酸塩が水に分散された状態の水分散体を主成分とする。
【０００８】
このような水に難溶な層状リン酸塩が水に分散された状態の水分散液を主成分とするアンモニア除去剤を使用することにより、層状リン酸塩にアンモニアが吸蔵されやすくなる。これにより、アンモニアを十分に除去することができる。
【０００９】
層状リン酸塩がペレット状を呈していてもよい。この場合には、層状リン酸塩と水とが分離しやすくなる。
【００１０】
また、本発明の他の態様に係るアンモニア除去方法は、水に難溶な層状リン酸塩が水に分散された状態の水分散体を主成分とするアンモニア除去剤を使用して、アンモニアを除去する。
【００１１】
このように水に難溶な層状リン酸塩が水に分散された状態の水分散液を主成分とするアンモニア除去剤を使用することにより、層状リン酸塩にアンモニアが吸蔵されやすくなる。これにより、アンモニアを十分に除去することができる。
【００１２】
アンモニア水に層状リン酸塩を加えることにより水分散体を生成し、アンモニア水からアンモニアを除去してもよい。この場合には、アンモニアを除去するシステムの構成を簡単化しつつ、アンモニアを十分に除去することができる。
【００１３】
また、本発明の更に他の態様は、配管内から漏出したアンモニアを除去するアンモニア除去システムであって、配管に面するように配置され、水を貯める貯水槽と、貯水槽に接続された管路と、管路の途中に配設され、アンモニア水に含まれるアンモニアを除去するアンモニア除去器とを備え、アンモニア除去器は、水に難溶な層状リン酸塩を主成分とし、アンモニアを吸蔵する吸蔵材を有する。
【００１４】
このようなアンモニア除去システムにおいては、配管内から漏出したアンモニアが貯水槽において水に吸収されることで、アンモニア水が得られる。そして、アンモニア水が管路を流れてアンモニア除去器に供給される。このとき、アンモニア除去器は、水に難溶な層状リン酸塩を主成分とする吸蔵材を有している。このため、アンモニア水に層状リン酸塩が混ざることで、層状リン酸塩が水に分散された状態の水分散体が生成される。従って、層状リン酸塩にアンモニアが吸蔵されやすくなる。これにより、アンモニアガスを十分に除去することができる。また、アンモニア水からアンモニアが除去されるため、アンモニア除去システムの構成を簡単化しつつ、アンモニアを十分に除去することができる。
【００１５】
層状リン酸塩がペレット状を呈していてもよい。この場合には、層状リン酸塩と水とが分離しやすくなる。
【００１６】
貯水槽には、管路の両端が接続されており、管路におけるアンモニア除去器よりも下流側には、管路を流れる水を循環させるポンプが配設されていてもよい。この場合には、アンモニアが除去された水が貯水槽及び管路を循環するため、アンモニア除去システムの構成を更に簡単化することができる。
【発明の効果】
【００１７】
本発明によれば、アンモニアを十分に除去することができる。
【図面の簡単な説明】
【００１８】
【図１】本発明の一実施形態に係るアンモニア除去システムを備えたアンモニア消費設備を示す概略構成図である。
【図２】層状リン酸塩の一例としてα型層状リン酸ジルコニウムの結晶の構造モデルを示す図である。
【図３】本発明の一実施形態に係るアンモニア除去方法の一例を示す図である。
【図４】室温（２５℃）におけるアンモニア水中のアンモニア濃度とアンモニア蒸気濃度との関係を示すグラフである。
【図５】実施例１及び比較例１〜３による測定結果を示す表である。
【図６】実施例２による測定結果を示すグラフである。
【発明を実施するための形態】
【００１９】
以下、本発明の実施形態について、図面を参照して詳細に説明する。
【００２０】
図１は、本発明の一実施形態に係るアンモニア除去システムを備えたアンモニア消費設備を示す概略構成図である。図１において、アンモニア消費設備１は、アンモニアタンク２と、気化器３と、アンモニア消費装置４とを備えている。
【００２１】
アンモニアタンク２は、アンモニア（ＮＨ３）を液体状態で貯蔵するタンクである。気化器３は、アンモニアタンク２から導出された液体状態のアンモニアを気化させて、アンモニアガスを生成する。アンモニア消費装置４は、気化器３により得られたアンモニアガスを消費する装置である。アンモニア消費装置４は、例えばガスタービン、エンジンまたは改質器等である。気化器３とアンモニア消費装置４とは、複数の配管５により接続されている。配管５内には、アンモニアガスが流れる。配管５同士は、継手５ａを介して接続されている。
【００２２】
アンモニア消費設備１は、本実施形態のアンモニア除去システム６を更に備えている。アンモニア除去システム６は、配管５内から漏出したアンモニアを除去するシステムである。アンモニア除去システム６は、配管５の継手５ａ等のようにアンモニア漏出のおそれがある箇所に設けられる。アンモニア除去システム６は、貯水槽７と、シャワー８と、管路９と、アンモニア除去器１０と、ポンプ１１とを備えている。
【００２３】
貯水槽７は、複数の配管５に面するように配置されている。貯水槽７は、水Ｗを貯める施設である。シャワー８は、貯水槽７の上方に配置されている。シャワー８は、配管５の継手５ａから漏出したアンモニアに向けて水Ｗを噴出させる。管路９の両端は、貯水槽７に接続されている。管路９内には、水Ｗが流れる。
【００２４】
アンモニア除去器１０は、管路９の途中に配設されている。アンモニア除去器１０は、アンモニア水に含まれるアンモニアを除去する。アンモニア除去器１０は、アンモニア水に含まれるアンモニアを吸蔵する吸蔵材１２を有している。吸蔵材１２は、層状リン酸塩を主成分としている。層状リン酸塩は、水に難溶な物質である。なお、吸蔵材１２は、層状リン酸塩のみからなっていてもよいし、層状リン酸塩に他の成分が多少含まれていてもよい。
【００２５】
層状リン酸塩は、単独でもアンモニアを除去するアンモニア除去剤として使用可能である。ただし、本実施形態では、水に難溶な層状リン酸塩が水に分散された状態の水分散体（以下、層状リン酸塩の水分散体ということがある）を主成分とした物質がアンモニア除去剤として使用される。なお、アンモニア除去剤は、層状リン酸塩の水分散体のみからなっていてもよいし、層状リン酸塩の水分散体に他の成分が多少含まれていてもよい。
【００２６】
層状リン酸塩としては、層状リン酸ジルコニウム、層状リン酸チタニウム、層状リン酸錫、層状リン酸セリウム、層状リン酸ハフニウムまたは層状リン酸アルミニウムの水和物等が挙げられる。
【００２７】
図２は、層状リン酸塩の一例としてα型層状リン酸ジルコニウムの結晶の構造モデルを示す図である。図２において、α型層状リン酸ジルコニウム１３は、ジルコニウム層１４の上下にリン酸水素基１５が３点で結合した二次元ヘテロポリマー層１６を基本シートとし、リン原子に結合したＯＨ基が隣接する基本シートの方向へ垂直に突き出ている。隣り合うジルコニウム層１４の層間距離Ｌは、例えば０．７ｎｍ〜２．０ｎｍである。
【００２８】
隣り合うジルコニウム層１４の間にアンモニアが入り込むことで、アンモニアがα型層状リン酸ジルコニウム１３に吸蔵される。なお、アンモニアがα型層状リン酸ジルコニウム１３に吸蔵されると、隣り合うジルコニウム層１４の層間距離Ｌは、例えば２５％程度拡がる。
【００２９】
また、アンモニア除去器１０は、層状リン酸塩の水分散体について水と層状リン酸塩とを分離する分離部１７を有している。分離部１７としては、濾過器または遠心分離器等が用いられる。なお、分離部１７は、アンモニア除去器１０とは別体であってもよい。
【００３０】
ポンプ１１は、管路９におけるアンモニア除去器１０よりも下流側に配設されている。ポンプ１１は、管路９を流れる水Ｗを循環させる。
【００３１】
図３は、本発明の一実施形態に係るアンモニア除去方法の一例を示す図である。図３において、配管５の継手５ａからアンモニアが漏出したときは、まず図３（ａ）に示されるように、シャワー８からアンモニアに向けて水を噴出させる。
【００３２】
すると、図３（ｂ）に示されるように、アンモニアが水に吸収されてアンモニア水が得られ、そのアンモニア水が貯水槽７に貯まるようになる。そして、ポンプ１１によりアンモニア水を循環させると、貯水槽７内のアンモニア水がアンモニア除去器１０に供給される。このとき、吸蔵材１２の主成分である層状リン酸塩がアンモニア水に混ざることで、結果的に層状リン酸塩の水分散体を主成分としたアンモニア除去剤が生成されることとなる。
【００３３】
アンモニア除去器１０では、アンモニア水に含まれるアンモニアが吸蔵材１２に吸蔵されることで、アンモニア水からアンモニアが除去される。アンモニアが除去された水Ｗは、管路９を流れて貯水槽７に戻る。このため、図３（ｃ）に示されるように、水Ｗが貯水槽７及び管路９を循環するようになる。
【００３４】
その後、水ＷのｐＨを測定することでアンモニアが除去されたことが確認されたときは、貯水槽７内の水を排出する。そして、アンモニア除去器１０の吸蔵材１２を取り出し、吸蔵材１２を加熱して再生する。これにより、吸蔵材１２を再利用することができる。
【００３５】
ここでは、配管５内からアンモニアが漏出したときは、シャワー８からアンモニアに向けて水を噴出させているが、特にその手法には限られず、貯水槽７内に水Ｗを予め貯めておいてもよい。この場合には、配管５内からアンモニアが漏出すると、アンモニアが貯水槽７内の水Ｗに吸収されるため、貯水槽７にアンモニア水が貯まることになる。
【００３６】
ところで、一般にアンモニア除去剤としては水が用いられる。アンモニアは、水に大量に溶解する。図４は、室温（２５℃）におけるアンモニア水中のアンモニア濃度とアンモニア蒸気濃度との関係を示すグラフである。図４から分かるように、アンモニア蒸気濃度とアンモニア水中のアンモニア濃度とは同程度であることから、水を使ってアンモニア蒸気濃度を低減するためには、大量の水が必要である。
【００３７】
これに対し、本実施形態では、水に難溶な層状リン酸塩が水に分散された状態の水分散液を主成分とするアンモニア除去剤を使用することにより、層状リン酸塩にアンモニアが吸蔵されやすくなる。従って、アンモニア除去剤として水のみを使用した場合、あるいはアンモニア除去剤として水に分散されていない層状リン酸塩を使用した場合に比べて、アンモニア濃度が大きく低減される。これにより、アンモニアを十分に除去することができる。また、大量の水を必要としなくても、アンモニア蒸気濃度を十分に低減することができる。
【００３８】
また、本実施形態では、配管５内から漏出したアンモニアが貯水槽７において水に吸収されることで、アンモニア水が得られる。そして、アンモニア水が管路９を流れてアンモニア除去器１０に供給される。このとき、アンモニア除去器１０は、水に難溶な層状リン酸塩を主成分とする吸蔵材１２を有している。このため、アンモニア水に層状リン酸塩が混ざることで、層状リン酸塩が水に分散された状態の水分散体が生成される。従って、アンモニア水中において層状リン酸塩にアンモニアが吸蔵されやすくなる。これにより、アンモニア除去システム６の構成を簡単化しつつ、アンモニアガスを十分に除去することができる。
【００３９】
また、本実施形態では、層状リン酸塩がペレット状を呈しているので、層状リン酸塩と水とが分離しやすくなる。
【００４０】
また、本実施形態では、アンモニアが除去された水が貯水槽７及び管路９を循環するため、アンモニア除去システム６の構成を更に簡単化することができる。
【００４１】
なお、本発明は、上記実施形態には限定されない。例えば上記実施形態では、水に難溶な層状リン酸塩を主成分とした物質をアンモニア水に加えることにより、アンモニア水からアンモニアを除去しているが、特にその形態には限られず、例えば水に難溶な層状リン酸塩が水に分散された状態の水分散体を主成分とするアンモニア除去剤をアンモニアに散布することにより、アンモニアを除去してもよい。
【００４２】
また、上記実施形態のアンモニア除去剤では、層状リン酸塩がペレット状を呈しているが、特にその形態には限られず、層状リン酸塩が粉末状を呈していてもよい。
【００４３】
また、上記実施形態のアンモニア除去システムは、アンモニア消費設備に適用されているが、本発明は、特にアンモニア消費設備には限られず、例えばアンモニアローリーやボンベにアンモニアを充填する設備等にも利用可能である。
【実施例】
【００４４】
実施例１
アンモニア除去剤として、第１稀元素化学製の層状リン酸ジルコニウム（ＣＺＰ−１００、（ＨＰＯ４）２Ｈ２Ｏ、分子量３０１、層間距離０．７６ｎｍ、カチオン交換容量（理論値）：６．６ｍｍｏｌ／ｇ）１ｇを水３０ｇに分散させて、層状リン酸ジルコニウムの水分散体を生成した。アンモニアガスとして、ＮＨ３を１０１０ｐｐｍ含むＮ２（大陽日酸購入品）を用いた。内容積３２Ｌのデシケータを真空引きした後、アンモニアガスをデシケータ内に大気圧まで導入した。デシケータ内にはファンが配置されており、デシケータ内は強制対流雰囲気になっている。デシケータ上部の孔からデシケータ内に層状リン酸ジルコニウムの水分散体を投入した後、アンモニア濃度の時間変化を測定した。アンモニア濃度の測定には、北川式ガス採取器と３種類の検知管（１０５ＳＭ：ＮＨ３０．１〜１％、１０５ＳＢ：ＮＨ３５０〜９００、１０５ＳＤ：ＮＨ３０．２〜２０ｐｐｍ）を使用した。測定結果を図５に示す。
【００４５】
比較例１
アンモニア除去剤として、イオン交換水３０ｇを用いた。アンモニアガスとして、ＮＨ３を１０１０ｐｐｍ含むＮ２（大陽日酸購入品）を用いた。実施例１と同様にして、アンモニア濃度の時間変化を測定した。測定結果を図５に示す。
【００４６】
比較例２
アンモニア除去剤として、イオン交換水６０ｇを用いた。アンモニアガスとして、ＮＨ３を１０１０ｐｐｍ含むＮ２（大陽日酸購入品）を用いた。実施例１と同様にして、アンモニア濃度の時間変化を測定した。測定結果を図５に示す。
【００４７】
比較例３
アンモニア除去剤として、ナカライテスク製のリン酸水素カルシウム二水和物（ＣａＨＰＯ４・２Ｈ２Ｏ、分子量１７２、ＡＳＳＡＹ  ｍｉｎ．９８％）１ｇを用いた。アンモニアガスとして、ＮＨ３を１０１０ｐｐｍ含むＮ２（大陽日酸購入品）を用いた。実施例１と同様にして、アンモニア濃度の時間変化を測定した。測定結果を図５に示す。
【００４８】
アンモニア除去性能評価
実施例１のようにアンモニア除去剤として層状リン酸ジルコニウムの水分散体を用いた場合は、比較例１，２のようにアンモニア除去剤として水のみを用いた場合や、比較例３のようにアンモニア除去剤として層状構造を有しないリン酸水素カルシウム二水和物水を用いた場合に比べて、空間中の残存アンモニア濃度が大きく低減された。これは、層状リン酸ジルコニウムにアンモニアが大量に吸蔵したためである。以上により、本発明の効果が実証された。
【００４９】
実施例２
アンモニア除去剤として、第１稀元素化学製の層状リン酸ジルコニウム（ＣＺＰ−１００、（ＨＰＯ４）２Ｈ２Ｏ、分子量３０１、層間距離０．７６ｎｍ、カチオン交換容量（理論値）：６．６ｍｍｏｌ／ｇ）２ｇを用いた。２５℃で１００ｍｌの水にアンモニアを加え、２５００ｐｐｍのアンモニア水を生成した。ＥＵＴＥＣＨ製のCyberScanpH310ｐＨ計を用いて測定したアンモニア水のｐＨは、１１となった。アンモニア水に層状リン酸ジルコニウム２ｇを加え、アンモニア濃度及びｐＨの時間変化を測定した。アンモニア濃度は、アンモニア計（Thermo scientific orion ammonia combination electrode 951201）により測定した。測定結果を図６に示す。
【００５０】
アンモニア水中において、層状リン酸ジルコニウムがアンモニアを吸蔵し、アンモニア濃度が２４４０ｐｐｍから０．１ｐｐｍまで大きく低下した。アンモニア水のｐＨは、１１から６．５に変化した。従って、本発明の効果が実証された。
【００５１】
比較例４
アンモニア除去剤として、ナカライテスク製のリン酸水素カルシウム二水和物（ＣａＨＰＯ４・２Ｈ２Ｏ、分子量１７２、ＡＳＳＡＹ  ｍｉｎ．９８％）１ｇを用いた。２５℃で１００ｍｌの水にアンモニアを加え、２５００ｐｐｍのアンモニア水を生成した。実施例２と同様にして測定したアンモニア水のｐＨは、１１となった。アンモニア水にリン酸水素カルシウム二水和物２ｇを加え、実施例２と同様にしてアンモニア濃度及びｐＨの時間変化を測定した。
【００５２】
その結果、アンモニア濃度は、リン酸水素カルシウム二水和物の添加前後で、約２５００ｐｐｍから殆ど変化しなかった。
【符号の説明】
【００５３】
５…配管、６…アンモニア除去システム、７…貯水槽、９…管路、１０…アンモニア除去器、１１…ポンプ、１２…吸蔵材、１３…α型層状リン酸ジルコニウム（層状リン酸塩）、Ｗ…水。
【図１】
2020131088.tif 000003
【図２】
2020131088.tif 000004
【図３】
2020131088.tif 000005
【図４】
2020131088.tif 000006
【図５】
2020131088.tif 000007
【図６】
2020131088.tif 000008